(57)【要約】【課題】信号を伝達する場合に、伝達したい信号の波形劣化を抑え、伝達する信号の時間幅を平易に受信側に反映する事が出来る信号装置の提供。【解決手段】伝達したい目的信号ａ１００の信号レベル変化を受信手段１検出し、変化する各信号レベル、時間に応じて、異なる数種類の送信信号群１０１を生成し伝送路３を伝送する。送信手段２に送信された信号の信号変化を検出し、検出された送信信号群１０１の種類に応じて、信号のレベルを再生し、合成信号ａ１０３を合成することで、伝送路３を伝送中の信号の劣化、なまりを抑えられる。【選択図】図１
2006229408.tif 000002
【特許請求の範囲】
【請求項１】
所定の極性を有する複数の送信信号を生成し、所望の信号レベルを有する合成信号を得る信号装置であって、
前記合成信号の信号レベルに対応する複数の送信信号を割り当てる割当手段と、
前記合成信号の信号レベルの変化に同期して、前記割当手段で割り当てた前記送信信号の前記極性を変化させ複数の送信信号を生成する極性変化手段と、
前記極性変化手段で生成された前記複数の送信信号の種類に応じて、前記合成信号の信号レベルを選択し、前記複数の送信信号の極性変化に同期して前記合成信号の信号レベルを重畳する信号合成手段とを備える信号装置。
【請求項２】
前記信号合成手段で前記信号レベルが変更可能であることを特徴とする請求項１記載の信号装置。
【請求項３】
前記合成信号の信号レベルを、複数の出力装置による各出力の組合せで合成することを特徴とする請求項１記載の信号装置。
【請求項４】
前記割当手段で、１つの信号レベルに対して複数の送信信号を割当てることを特徴とする請求項１記載の信号装置。
【発明の詳細な説明】
【技術分野】
【０００１】
本発明は信号装置に関し、特に高速な情報を伝達できる信号装置に関するものである。
【背景技術】
【０００２】
信号装置としては、例えば特許文献１に開示された、信号路上に伝達したいパルス波形を電圧の変化として、伝達したいパルス波形の周波数で伝送する技術、及び例えば特許文献２に開示された、目的の信号波形の幅情報を送信し、受信手段側にて予め送信される信号幅に対して変換される波形幅を設定しておくことで、伝送中の周波数を軽減し、目的とする信号を受信側にて合成する技術がある。
【特許文献１】特開平８−２０４６８７号公報
【特許文献２】特開２００４−４７０２５号公報
【発明の開示】
【発明が解決しようとする課題】
【０００３】
しかしながら、従来提案されている技術では、伝送線路の抵抗、容量、インダクタ成分等により、伝達しようとする高周波の波形が伝送中になまり、目的とする信号が伝達できないという課題がある。また、受信手段側で予め変換される波形幅を設定しておく方法では、多様な波形の幅を生成したい時に設定量が膨大になったり、設定を記憶する手段の規模を小さくして波形幅を変更する為に逐次設定変更のため、設定情報を受信側に送信しなければならず、時間と手間がかかる。
【０００４】
本発明は、高周波の信号波形を伝送し、出力波形の幅を容易に可能とする信号装置の提供を目的とする。
【課題を解決するための手段】
【０００５】
上記課題を解決する為に、本発明の信号装置は、合成信号の信号レベルに応じて極性を変化させる送信信号の種類を決定する手段と、合成信号の信号レベルの変化時間に同期して送信信号の極性を変化させる手段と、送信信号の種類と極性の変化を検出する手段と、出力する信号レベルを決定して送信信号の極性変化時間に応じて信号レベルを出力する手段を有する。
【０００６】
また、上記信号装置において、合成する段階で信号レベルの設定値を保持しておく手段を有する。
【０００７】
また、上記信号装置において、合成信号の信号レベルを複数の出力装置により出力信号レベルを分担する手段を有する。
【０００８】
また、上記信号装置において、合成信号の１つの信号レベルに対し、複数の送信信号を割り当てる手段を有する。
【発明の効果】
【０００９】
本発明の信号装置は、上記構成を有するため、従来の方法に比べて、信号路上の信号周波数を低くすることが出来、波形の劣化を抑えて柔軟な信号伝送媒体の設計を可能にできると共に、高周波信号の伝送によって発生し易い輻射を低減出来る。
【００１０】
また、合成の信号レベルの変化に同期した極性変化のタイミングを有する送信信号を伝送することから、目的信号の時間幅情報を容易に伝達することが出来る。
【発明を実施するための最良の形態】
【００１１】
高周波の信号波形を伝送すること、不要輻射を低減すること、出力波形の幅を容易に可能とすること、また、合成される信号の信号幅を容易に変更することという目的を、複数の送信信号で1つの合成信号を生成する方法により実現した。以下、本発明の最良の実施形態を、図面を参照しながら説明する。
【００１２】
図１は、本発明の信号装置の説明図であり、目的信号ａ１００は信号レベルがハイとロートを有する２値信号を伝達する信号波形である。送信手段１にて目的信号ａの信号レベルの変化、信号のレベルを検知し、送信信号群ａ１０１に信号を変換して送信する。受信手段２において、送信信号群ａ１０１を受信し、各送信信号の種類毎に波形の変化を検知し、合成信号ａ１０３を生成する。変換後信号ａ１０２は、送信信号群ａ１０１から合成信号ａ１０３への変換を図示したものである。
【００１３】
図２は、本発明の信号装置において、目的信号ｂが３値の場合の説明図である。目的信号ｂ２００は信号レベルがａ、ｂ及びｃの３値信号を伝達する信号波形である。送信手段１にて目的信号ｂの信号レベルの変化、信号レベルを検知し、送信信号群ｂ２０１に信号を変換して送信する。受信手段２において、送信信号群ｂ２０１を受信し、各送信信号の種類毎に波形の変化を検知し、合成信号ｂ２０３を生成する。変換後信号ｂ２０２は、送信信号群ｂ２０１から合成信号ｂ２０３への変換を図示したものである。
【００１４】
次に、目的信号から送信信号群を生成する具体的な例を、図２の場合について説明するが、図１の場合も同様である。図３は目的信号ｂ２００から送信信号群ｂ２０１を生成する説明図である。図３において目的信号ｂ２００の時間ａ３３０における信号レベルは信号レベルｃ３１３へと変化し、信号レベルｃ３１３への信号変化に対応して、送信信号ｃ３２３の極性を変化させる。次に、目的信号ｂ２００は時間ｂ３３１で信号レベルｂ３１２へと変化し、信号レベルｂ３１２への信号変化に対応して、送信信号ｂ３２２の極性を変化させる。さらに、時間ｃ３３２で信号レベルｃ３１３へと変化する時に、送信信号ｃ３２３の極性を変化させ、時間ｄ３３３で信号レベル３１１へと変化する時に、送信信号ａ３２１の極性を変化させる。なお、この信号レベルとこの送信信号の対応は本実施形態に限定されるものではなく、種々の割当が可能であることは言うまでもない。
【００１５】
図４は、本発明の信号装置を手段ごとに分けて処理の流れを描いたブロック図である。割当手段４０３において、合成信号ｄ４０２の信号のレベルの変化時間、信号レベルを検出し、合成信号ｄ４０２の信号レベルに対応した送信信号の種類を選択する。極性変化手段４０４においては、合成信号ｄ４０２の信号レベル変化の時間に同期して、割当手段４０３で選択された送信信号群４０１の各信号極性を変化させ、信号路上に伝送する。
【００１６】
このようにして伝送された送信信号群ｄ４０１は、極性変化検出手段４０５により極性が変化した送信信号の種類、変化時間を検出する。信号合成手段４０６は、極性変化検出手段４０５により極性変化が検出された送信信号群ｄ４０１の種類に応じ、出力すべき信号レベルを変化させる。なお、信号レベルの種類は３種類に限定されるものではなく、種々の形態があることは言うまでもない。このような手段により信号路上の伝送信号の周波数を下げること、不要輻射を低減する事が可能となり、多値高周波信号を生成できる。
【００１７】
図５は、信号合成手段における出力装置ａ５０１の一例を表した図であり、出力装置ａ５０１に設定値５０２を保持する機能を持たせることにより、合成信号の出力信号レベルを精度よく変更出来る。
【００１８】
図６は、信号合成手段における信号レベル重畳方法として、複数の出力装置を用いた場合のブロック図であり、極性が変化する送信信号群の種類により出力装置の組合せを選択し、出力信号レベルを重畳する。すなわち、出力装置ｂ６０１、出力装置ｃ６０２及び出力装置ｄ６０３を並列に備え、各出力装置の出力レベルを重畳する構成である。出力装置として複数の出力機能を持たせることにより、１つ当たりの出力負担を低減し、かつ、スイッチング動作等によりすばやく出力レベルを変更する事が可能となる。なお、出力装置は３つとは限定するものではない。
【００１９】
図７は、１つの信号レベルに対して複数の送信信号を割り当てた場合であり、例えば、信号レベルｅ７０６に対して、送信信号ｆ７０３、送信信号ｇ７０４の２つが対応しており、送信信号ｆ７０３と送信信号ｇ７０４との両方の極性変化に対して、信号レベルｅ７０６が出力される形態となっている。よって、送信信号ｆ７０３と送信信号ｇ７０４との２つの送信信号を交互に極性変化させれば、信号路上の信号周波数、不要輻射をさらに低減することが出来る。なお、１つの信号レベルに対応させる送信信号の数は１つや２つに限定しない。
【産業上の利用可能性】
【００２０】
本発明の信号装置は、高速な信号伝達を要する通信分野での伝送装置、レーザ等の波形を生成するための信号を伝達する装置として有用である。
【図面の簡単な説明】
【００２１】
【図１】本発明の信号装置の説明図
【図２】本発明の信号装置の説明図
【図３】合成信号と送信信号の関係を示す図
【図４】本発明の信号装置の信号を処理する流れを表すブロック図
【図５】出力値を設定可能な出力装置の説明図
【図６】複数の出力装置で合成信号の信号レベルを重畳する場合の説明図
【図７】合成信号の単一の信号レベルに対して複数の送信信号を割り当てる場合の説明図
【符号の説明】
【００２２】
１  送信手段
２  受信手段
３  信号路
１００  目的信号ａ
１０１  送信信号群ａ
１０２  変換後信号ａ
１０３  受信信号ａ
２００  目的信号ｂ
２０１  送信信号群ｂ
２０２  変換後信号ｂ
２０３  受信信号ｂ
３１１  信号レベルａ
３１２  信号レベルｂ
３１３  信号レベルｃ
３２１  送信信号ａ
３２２  送信信号ｂ
３２３  送信信号ｃ
３３０  時間ａ
３３１  時間ｂ
３３２  時間ｃ
３３３  時間ｄ
４０１  送信信号群ｄ
４０２  合成された信号ｄ
４０３  割当手段
４０４  極性変化手段
４０５  極性変化検出手段
４０６  信号合成手段
５０１  出力装置ａ
５０２  設定値
６０１  出力装置ｂ
６０２  出力装置ｃ
６０３  出力装置ｄ
７０１  送信信号ｄ
７０２  送信信号ｅ
７０３  送信信号ｆ
７０４  送信信号ｇ
７０５  信号レベルｄ
７０６  信号レベルｅ
７０７  合成信号ｅ
【図１】
2006229408.tif 000003
【図２】
2006229408.tif 000004
【図３】
2006229408.tif 000005
【図４】
2006229408.tif 000006
【図５】
2006229408.tif 000007
【図６】
2006229408.tif 000008
【図７】
2006229408.tif 000009